(57)【要約】      （修正有）【課題】軽量で柔軟性があり、形態安定性が高い、ゴミ収集作業に適した注射針プロテクターを提供する。【解決手段】第１、第２の２枚のプロテクターカバー２１、２２と、これら第１、第２の２枚のプロテクターカバーの間に収納された注射針プロテクター部材２とからなり、注射針プロテクター部材が、防護対象とする注射針の長さよりも所定寸法厚さの厚い立体編物２３により構成されている。【選択図】図７
0003226990.tif 000002
【実用新案登録請求の範囲】
【請求項１】
第１、第２の２枚のプロテクターカバーと、これら第１、第２の２枚のプロテクターカバーの間に収納された注射針プロテクター部材とからなり、上記注射針プロテクター部材が、防護対象とする注射針の長さよりも所定寸法厚さの厚い立体編物により構成されていることを特徴とする注射針プロテクター。
【請求項２】
立体編物は、防護対象とする注射針の長さ寸法よりも所定寸法大きい間隔を開けて設けた第１、第２の編地相互の間を弾力性のある多数本の連結糸で連結して構成したクッション性、柔軟性、形態安定性がある三次元構造のメッシュ部材により構成されていることを特徴とする請求項１記載の注射針プロテクター。
【考案の詳細な説明】
【技術分野】
【０００１】
この出願の考案は、立体編物を用いた注射針プロテクターの構造に関するものである。
【背景技術】
【０００２】
近年、遊園地や公園、オフィスビル、ホテル、ショッピングセンター、空港など、不特定多数の人々が利用する施設におけるゴミの回収や清掃作業に関して、回収すべきゴミのなかに使用済みの注射針（特にインスリン注入器用の注射針）が含まれていることが問題となっている。
【０００３】
たとえば、最近では在宅医療が推進され、糖尿病患者自らがインスリン注入器を携帯し、外出先などで自分でインスリンを投与するケースが増えている。このような携帯型のインスリン注入器は、例えばペン型の注入器の先端にＡ型の専用注射針を着脱可能に装着して使用するカートリッジ式やキット式のものが多く、一旦使用された注射針は取り外して廃棄することができるようになっている。そして、この一旦使用された専用の注射針は、本来医療廃棄物として適切に保存して自宅に持ち帰り、かかりつけの病院等を通して正規に廃棄してもらうのが正しい処分の仕方である。
【０００４】
ところが、人によっては、そのような適切な処分の仕方が期待できず、外出先の上記のような施設のゴミ箱やトイレなどに簡単に捨ててしまうケースも多い。特に、海外からの観光客等が多い施設にその傾向が顕著である。
【０００５】
このようなゴミの回収作業やトイレ等の清掃作業において、従来一般のゴム手袋や軍手などを用いて作業に当たると、上記注射針が作業者の指部に刺さり、怪我をするだけでなく、肝炎等の病気に罹患する危険性がある。そこで、本件出願人は、保護すべき指部に対応する上下２枚の合成繊維シート間に指部長手方向に複数に分割された可撓性のある金属薄板を、指部長手方向に当該各金属薄板の指部長手方向の幅よりも狭い間隔をあけて配設し、それらを熱接着シートを介して接合一体化することによって１枚のインナープレートを形成するとともに、該インナープレートを少なくとも２枚用い、該２枚のインナープレートを、一方のインナープレートの各金属薄板が他方のインナープレートの各金属薄板の間に位置し、それら各金属薄板の指部長手方向の縁部同士が上下に重なるように指部長手方向に位置をずらせて重合一体化することによって、作業用手袋の指部に適用可能な、指部を自由に曲げ伸ばしすることができ、かつ金属薄板により、確実に耐針性、耐突き刺し性を確保することができるようにしたプロテクター部材を提案している（特許文献１を参照）。
【０００６】
このようなプロテクター部材を用いた作業用手袋によると、上記インスリン注入器の専用注射針のような挿入力（突き刺し性能）の高いものに対しても有効なプロテクター機能を実現することができ、安全なゴミ回収作業を可能とすることができる。
【先行技術文献】
【特許文献】
【０００７】
【特許文献１】特開２０１８−００９２７５号公報
【考案の概要】
【考案が解決しようとする課題】
【０００８】
ところで、ゴミの回収作業やトイレ等の清掃作業において注射針に対するプロテクター機能が必要なのは、何も作業用手袋の場合だけではなく、その時に着用している作業服やズボンの場合にも同様である。
【０００９】
しかし、作業服やズボンに複数枚の金属薄板を組み合わせた注射針プロテクター構造を採用すると、その重量が大きく増大するし、曲げ伸ばし機能には限界があり、作業性に欠けるものとなる。また、価格も高いものとなり、作業着には適しない。したがって、必ずしも容易には採用しえない。
【００１０】
本願考案は、このような課題を解決するためになされたもので、上述したインスリン注入器の専用注射針のような注射針には、規定の長さがあることに着目するとともに、プロテクター部材として同規定の長さを超える厚みの三次元構造の立体編物を採用することにより、注射針が刺さっても針先が人体に届かず、柔軟性、形状安定性に優れた低価格の注射針プロテクターを提供することを目的とするものである。
【課題を解決するための手段】
【００１１】
本願考案は、上記の課題を解決するために、次のような課題解決手段を備えて構成されている。
【００１２】
（１）請求項１の考案の課題解決手段
この請求項１の考案の課題解決手段は、第１、第２の２枚のプロテクターカバーと、これら第１、第２の２枚のプロテクターカバーの間に収納された注射針プロテクター部材とからなり、上記注射針プロテクター部材が、防護対象とする注射針の長さよりも所定寸法厚さの厚い立体編物により構成されていることを特徴としている。
【００１３】
このような構成によると、上記構成の注射針プロテクターを作業着等に装着してゴミ収集作業をしている場合、たとえば防護対象であるインスリン注入器の注射針が刺さったとしても、同注射針の先端が人体までは届かず、貫通（切創）事故は生じない。
【００１４】
したがって、上記構成の注射針プロテクターとともに、すでに述べた本件出願人が提案しているような耐針性の高いプロテクター部材を備えた作業用手袋を併用するようにすると、著しく安全性が向上し、従来の問題を確実に解消することができる。
【００１５】
この場合、上記構成の注射針プロテクターは、たとえば作業服の前につける作業用エプロンや作業服のズボン、ジャケットなどの表裏生地間に縫い込んで装着したり、また作業用エプロンや作業服のズボン、ジャケットなどの構成生地の裏面にマジックテープ等で着脱可能に取り付けて使用される。
【００１６】
（２）請求項２の考案の課題解決手段
この請求項２の考案の課題解決手段は、上記請求項１の考案の課題解決手段の構成において、立体編物は、防護対象とする注射針の長さ寸法よりも所定寸法大きい間隔を開けて設けた第１、第２の編地相互の間を弾力性のある多数本の連結糸で連結して構成したクッション性、柔軟性、形態安定性がある三次元構造のメッシュ部材により構成されていることを特徴としている。
【００１７】
このような構成によれば、より軽量で、よりしなやかなフィット感を実現しながら、しかも確実な注射針防護スパンを確保することができるより信頼性の高い注射針プロテクターを実現することができる。また、通気性も高い。
【考案の効果】
【００１８】
以上の結果、本願考案によると、ごみ回収時の作業着やエプロン等に適した、軽量で作業性が良く、安全性の高い注射針プロテクターを提供することが可能となる。
【図面の簡単な説明】
【００１９】
【図１】本願考案の注射針プロテクターをゴミ収集作業用のエプロンに適用した本願考案の実施の形態１に係る注射針プロテクターの正面図である。
【図２】同注射針プロテクターの要部の断面図である。
【図３】同注射針プロテクターのプロテクター部材部分の拡大正面図である。
【図４】同注射針プロテクターのプロテクター部材部分の図３の仮想線部分の、さらなる拡大正面図である。
【図５】同注射針プロテクターのプロテクター部材部分の拡大斜視図である。
【図６】同注射針プロテクターのプロテクター部材部分の断面図（図４Ａ−Ａ）である。
【図７】同注射針プロテクターの注射針プロテクト機能を示す説明用の断面図である。
【図８】本願考案の実施の形態２に係る注射針プロテクターの変形例（装着形態の変形例）の正面図である。
【図９】同変形例の注射針プロテクターの要部の断面図である。
【図１０】本願考案の注射針プロテクターをゴミ収集作業用の作業ズボンに適用した本願考案の実施の形態２に係る注射針プロテクターの正面図である。
【図１１】同作業ズボンに適用した注射針プロテクターの要部の断面図である。
【考案を実施するための形態】
【００２０】
以下、図１〜図１１を参照して、本願の考案を実施するための幾つかの形態に係る注射針プロテクターの構成について詳細に説明する。
【００２１】
＜実施の形態１＞
先ず、図１〜図６は、本願考案の注射針プロテクターを一例としてゴミ収集作業用のエプロンに適用した本願考案の実施の形態１に係る注射針プロテクターの全体および要部の構成を示している。
【００２２】
まず第１図は、本願考案の注射針プロテクターを採用して構成された本願考案の実施の形態１に係るゴミ収集作業用のエプロン（以下、単にエプロンという）の構成を示している。
【００２３】
このエプロン１は、上端側に肩掛け部１１、その下方に脇部１２、該脇部１２の下方にエプロン部本体１３を備えて構成されている。そして、その脇部１２およびエプロン部本体１３の内側には、それらの全体に亘って、たとえば図２〜図４に示す注射針プロテクター２が設けられている。
【００２４】
この注射針プロテクター２は、例えば周囲を相互に一体化したフラットな袋体構造の第１、第２のプロテクターカバー２１，２２間に同じくフラットな立体編み物２３を収納一体化して構成されている。この立体編み物２３は、例えば図５に示すように、相互に所定の間隔Ｔをおいて対向し、それぞれ多数の六角形状の空間部を有して縦および横方向にハニカム形状（ハチの巣形状）に連続する所定の幅・所定の厚さの第１、第２の編地２３ａ，２３ｂ相互の間（六角形部間）を所定の弾力性のある多数本の連結糸２３ｃ，２３ｃ・・で筒状に連結したクッション性、柔軟性に優れ、しかも形態安定性が高い三次元構造のメッシュ部材を採用して構成されている。上記ハニカム形状の第１、第２の編地２３ａ，２３ｂ間を連結する多数本の連結糸２３ｃ，２３ｃ・・は、たとえば筋交構造に連結されており、それによって、より有効に形態の安定性が実現されるようになっている。また、上記第１、第２の編地２３ａ，２３ｂおよびそれらを連結する多数本の連結糸２３ｃ，２３ｃ・・は、閉じた面ではなく、それぞれ多数の六角形の空間部を有してハニカム構造体を形成しているので、非常に軽量で、きわめて通気性の良い繊維構造体となっている。
【００２５】
そして、このように構成された図３〜図６に示す注射針プロテクター２が、上記図１および図２に示されているように、一例としてゴミ収集作業用のエプロン１の厚手の表生地１９と薄手の裏生地２０との間に縫い込む形で一体に設けられる。なお、図１および図２中の符号Ｍは、それぞれ作業者の体（人体）を示している。
【００２６】
ところで、本件出願で問題にしているインスリン注入器は、一般にペン型の注入器の先端にＡ型の専用の注射針（針基部分）を着脱可能に装着して使用するカートリッジ式やキット式のものが多く、一旦使用された注射針は取り外して廃棄することができるようになっている。いま図７には、そのようなインスリン注入器（針基８０及び注射針８３部分）の一例が示されている。図中、符号８０はインスリン注入器本体８の先端に着脱可能に取り付けられる針基、８１は針基８０の基部（注入器本体８先端への取り付け部）、８２は針基８０の先端（注射針固定部）、８３は針基８０の先端８２に固定された注射針（インスリン注入専用針）である。
【００２７】
上記インスリンの注入に使用する注射針８３は、採血などに使用される注射針（２７Ｇ）に比べて遥かに細く（３０Ｇ〜３４Ｇ）、非常に挿入性が高いが、その長さＬは略４〜８ｍｍのものである。
【００２８】
そこで、この実施の形態の構成では、上記注射針プロテクター２を構成する立体編み物２３の上記第１、第２の編地２３ａ，２３ｂ相互の間の間隔Ｔを上記注射針８３の最も長いもの８ｍｍよりも十分に大きい寸法、例えば１０〜１５ｍｍに設定して構成している。
【００２９】
この結果、作業者Ｍが、同構成の作業用のエプロン１を装着してゴミ収集作業をしている場合（図１参照）、例えば図７に示すように、インスリン注入器の注射針８３が仮想線で示すようにエプロン１に刺さったとしても、同注射針８３の先端が作業者（人体）Ｍまでは届かず、貫通（切創）事故は生じない。したがって、同構成の作業用のエプロン１とともに、すでに述べた本件出願人が提案しているような耐針性の高い作業用プロテクターを備えた作業用手袋を併用するようにすると、著しく安全性が向上し、従来の問題を確実に解消することができる。
【００３０】
＜実施の形態１の変形例＞
以上の構成では、上記図３〜図６の構成の注射針プロテクター２をゴミ収集作業用エプロン１の表生地１９と裏生地２０との間に縫い込んで一体化するようにしたが、これは例えば図８および図９に示すように、上記注射針プロテクター２を着脱可能な独立した装着プロテクターとして構成し、かつ作業用エプロン１の裏面側に第１の面ファスナー２６，２６・・、対応する同注射針プロテクター２の前面側に第２の面ファスナー２７，２７・・をそれぞれ縫い付けておいて、装着したいときに任意に装着できる構成とすることもできる。
【００３１】
このような構成の場合、注射針プロテクター２を汎用性のあるプロテクターとして活用することができ、また作業用エプロン１が傷んだり、汚れたとしても、作業用エプロン１さえ交換すれば良く、価格の高い注射針プロテクター２を長期に亘って有効に使用することができる。また、作業用エプロン１の裏生地２０が必要でなくなり、その分だけ低コストになる。また、作業用エプロン１の洗濯が容易になる。
【００３２】
なお、図９中の符号３０は、作業者Ｍが着ている衣服の生地を示している。
【００３３】
＜実施の形態２＞
次に、図１０および図１１は、本願考案の注射針プロテクターを一例としてゴミ収集作業用の作業ズボンに適用した本願考案の実施の形態２に係る注射針プロテクターの全体および要部の構成を示している。
【００３４】
まず図１０は、本願考案の注射針プロテクターを採用して構成された本願考案の実施の形態２に係るゴミ収集作業用の作業ズボンの構成を示している。
【００３５】
この作業ズボン３は、上端側周方向に所定幅のベルト部３１ａを備えた腰部３１、該腰部３１の下端部中央で左右に分岐して所定の長さ下方に伸びる左右一対の足部３２Ｌ，３２Ｒとから構成されている。そして、腰部３１および左右一対の足部３２Ｌ，３２Ｒの少なくとも前部部分の内側には、例えば前述の図２〜図６に示す構成の注射針プロテクター２が全体に亘って設けられている。
【００３６】
この注射針プロテクター２は、たとえば周囲を相互に一体化したフラットな袋体構造の第１、第２のプロテクターカバー２１，２２間に立体編み物２３を収納一体化して構成されている。この立体編み物２３は、たとえば前述の図５に示すように、相互に所定の間隔Ｔをおいて対向し、それぞれ六角形の空間部を有してハニカム形状に連続する所定の幅の第１、第２の編地２３ａ，２３ｂ相互の間を所定の弾力性のある多数本の連結糸２３ｃ，２３ｃ・・で筒状に連結したクッション性、柔軟性に優れ、しかも形態安定性が高い三次元構造のメッシュ部材を採用して構成されている。上記ハニカム形状の第１、第２の編地２３ａ，２３ｂ間を連結する多数本の連結糸２３ｃ，２３ｃ・・は、たとえば筋交構造に連結されており、それによって、より有効に形態の安定性が実現されるようになっている。また、上記第１、第２の編地２３ａ，２３ｂおよびそれらを連結する多数本の連結糸２３ｃ，２３ｃ・・は、閉じた面ではなく、それぞれ多数の六角形の空間部を有してハニカム構造体を形成しているので、非常に軽量で、きわめて通気性の良い繊維構造体となっている。
【００３７】
そして、このように構成された図３〜図６に示す注射針プロテクター２は、たとえば図１０の破線部のように、ゴミ収集作業用のズボン３の厚手の表生地３９と薄手の裏生地４０との間に縫い込む形で一体に設けられている。
【００３８】
そして、この実施の形態の構成でも、上記立体編み物２３の上記第１、第２の編地２３ａ，２３ｂ相互の間の間隔Ｔを上記インスリン注入器用の注射針８３の最も長いもの８ｍｍよりも十分に大きい寸法、例えば１０〜１５ｍｍに設定して構成している。
【００３９】
この結果、同構成の作業用ズボン３を装着してゴミ収集作業をしている場合、図７の場合と同様に、インスリン注入器の注射針８３が作業用ズボン３の前面部に刺さったとしても、同注射針８３の先端が作業者（人体）Ｍまでは届かず、貫通（切創）事故は生じない。したがって、同構成の作業用ズボン３とともに、すでに述べた本件出願人が提案しているような耐針性の高い作業用プロテクターを備えた作業用手袋を併用するようにすると、著しく安全性が向上し、従来の問題を確実に解消することができる。
【００４０】
＜変形例＞
なお、この作業用ズボン３と同様の構成は、当然ながら作業服ジャケットの前面側にも採用することが可能であり、同様の作用、効果を実現することができる。
【００４１】
＜その他の実施の形態＞
なお、以上の実施の形態や変形例における構成は、種々の変更が可能である。たとえば、上述の実施の形態では、一例として、上記注射針プロテクター２を構成する立体編み物２３の上記第１、第２の編地２３ａ，２３ｂ相互の間の間隔Ｔを上記注射針８３の最も長いもの８ｍｍよりも十分に大きい寸法、例えば１０〜１５ｍｍに設定して構成したが、これらの寸法関係は防護対象とする注射針が変わった場合には当然に変わるし、防護対象とする注射針が同じでも、規格が変わったり、新しいタイプの注射針が採用されるようになった場合には所望に変更されることは言うまでもない。
【符号の説明】
【００４２】
１は作業用のエプロン、２は注射針プロテクター、３は作業用ズボン、１９は作業用のエプロン１の表生地、２０は作業用のエプロン１の裏生地、２１は第１のプロテクターカバー、２２は第２のプロテクターカバー、２３は立体編物、２３ａは第１の編地、２３ｂは第２の編地、２３ｃは連結糸、３１は腰部、３１ａはベルト部、３２Ｌは足部（左）、３２Ｒは足部（右）、３９は作業用ズボン３の表生地、４０は作業用ズボン３の裏生地である。
【図１】
0003226990.tif 000003
【図２】
0003226990.tif 000004
【図３】
0003226990.tif 000005
【図４】
0003226990.tif 000006
【図５】
0003226990.tif 000007
【図６】
0003226990.tif 000008
【図７】
0003226990.tif 000009
【図８】
0003226990.tif 000010
【図９】
0003226990.tif 000011
【図１０】
0003226990.tif 000012
【図１１】
0003226990.tif 000013